(57)【要約】【課題】  排水金具における水はけの優れた側溝ブロックを提供する。【解決手段】  一対の側面壁１６ｂ，１６ｃと、該側面壁１６ｂ，１６ｃ同士を結合する上面壁１６ａとで排水路を形成し、側面壁１６ｂ，１６ｃの上部に排水穴１７ｃ，１７ｅを有する排水金具１７を取り付け、該排水金具１７の裏側に排水路に通ずる空所を形成した側溝ブロック１６であって、側面壁１６ｂ，１６ｃに導水長溝１６ｄを形成し、排水金具１７に横長溝を形成し、排水金具１７を、導水長溝１６ｄと横長溝とが連通するように取り付けた。【選択図】  図１
2005188152.tif 000002
【特許請求の範囲】
【請求項１】
一対の側面壁と、該側面壁を結合する上面壁とで排水路が形成され、側面壁の上部には排水穴を有する排水金具が取り付けられ、該排水金具の裏側に排水路に通ずる空所が形成される側溝ブロックであって、
側面壁には導水長溝が形成され、
排水金具には横長溝が形成され、
排水金具は、導水長溝と横長溝とが連通するように取り付けられることを特徴とする側溝ブロック。
【請求項２】
前記横長溝に排水穴が形成されていることを特徴とする請求項１に記載の側溝ブロック。
【請求項３】
前記横長溝の横断面形状は台形状であることを特徴とする請求項１に記載の側溝ブロック。
【請求項４】
前記導水長溝及び横長溝の下端は、上面壁の上面から４〜１０ｃｍの所に位置していることを特徴とする請求項１に記載の側溝ブロック。
【請求項５】
側面壁の導水長溝と排水金具の横長溝は、それぞれ複数個、形成されていることを特徴とする請求項１記載の側溝ブロック。
【請求項６】
前記側面壁には、導水長溝に連通する複数の立上がり溝が間隔をおいて形成されていることを特徴とする請求項１に記載の側溝ブロック。
【発明の詳細な説明】
【技術分野】
【０００１】
本発明は、道路の側部等に埋設されて、路面に降った雨水や雪解け水等を排水するための側溝ブロックに関する。
特に、道路表面から内部に浸透した水分を導水するために側溝ブロックの側面に導水長溝が形成された側溝ブロックに関する。
【背景技術】
【０００２】
従来、道路に浸透した水分を導水するために側溝ブロックの側面に導水長溝が形成された側溝ブロックとして、図９に記載のものが知られている（特許文献１参照）。  
図に示すように、このコンクリート製の側溝ブロック１は、連結金具２を介してその長手方向に沿って複数連結されることで道路に施工される。
【０００３】
側溝ブロック１には、その長手方向に沿って内部に排水路３が形成されておりこの中を路面に溜まった雨水等が流れ込む。
側溝ブロック１の上面１ａは、一側面１ｂ側から他側面１ｃ側へ向かって次第に下がるテーパ面とされており、上面１ａに存在する雨水が一側面１ｂ側から他側面１ｃ側に導かれる。
【０００４】
側溝ブロック１の一側面１ｂには、その長手方向に沿って一対の導水長溝１ｄ，１ｅ  が形成され、この導水長溝１ｄ，１ｅは道路に浸透した水分を導水する。
また、側溝ブロック１の一側面１ｂには、導水長溝１ｄ，１ｅから導かれてきた水が排水路３内に流入するように、排水穴を有する排水金具４が一定間隔毎に設けられている。
【０００５】
この排水金具４には、図１０に示すように、一側面１ｂに長細い断面形状をした導水穴１ｆが形成され、この導水穴１ｆの開口部の周囲に矩形状の浅い凹部１ｇが形成されている。
また排水金具４には複数の長穴４ｂが形成されており、その長手方向中央付近の両側は垂直な板片４ａとして折り曲げられている。
この折り曲げられた板片４ａを導水穴１ｆに嵌め込み、更に排水金具４の裏面を凹部１ｇと当接するように嵌め込むことで、排水金具４は側溝ブロック１に取り付けられる。
【０００６】
図１１は、側溝ブロック１の道路への具体的な施工例を示す。
図に示すように、側溝ブロック１は道路の側部に沿って埋設される。
側溝ブロック１の一側面１ｂには、道路５が構築されている。
路盤６は導水長溝１ｅより下方に位置し、その上には不透水性舗装７が設けられており、その上面は導水長溝１ｄの下端に位置している。
不透水性舗装７の上には、透水性舗装８が施されており、その上面は一側面１ｂの上端に位置している。
【０００７】
さて、このような側溝ブロック１が敷設された道路５では、道路上に降った雨水は、透水性舗装８内に浸透し、不透水性舗装７の上面に至り、その上面を伝わって側溝ブロック１に導かれる。
そして、側溝ブロック１に導かれた雨水は、導水長溝１ｄを伝わって導水穴１ｆに導かれ、この導水穴１ｆから排水路３に流れ込み、排水される。
（また、長手方向に複数連結された側溝ブロック１の一部には、その上面１ａに柵が嵌め込まれた窓部が形成され、側溝ブロック１上に溜まった水を排水することができるようにされる。）
【０００８】
図１２は、側溝ブロック１の道路への別の施工例を示す。
この道路５Ａでは、側溝ブロック１の一側面１ｂ近傍において、不透水性舗装７に段部７ａが形成され、この段部７ａの高さ位置は導水長溝１ｅの下端に位置している。
このような構成にすれば、不透水性舗装７の上面を伝わって来た雨水を導水長溝１ｅに送り込むことができる。
【０００９】
図１３は、側溝ブロック１の道路への更に別の施工例を示す。
この道路５Ｂでは、透水性舗装８が形成されてなく、不透水性舗装７と側溝ブロック１との間に導水間隙部１４が形成されているものである。
この導水間隙部１４は、その底部が導水長溝１ｄの下端に位置している。
すなわち、路盤６の上面は導水長溝１ｄの下端に位置している。
【００１０】
このような構造にすれば、道路５Ｂ上の雨水が導水間隙部１４及び導水長溝１ｄに入り込み、この導水間隙部１４及び導水長溝１ｄに案内されて導水穴１ｆから排水路３へ排出される。
【００１１】
以上、説明したように、側溝ブロック１の道路への施工においては、排水経路ができているために比較的効率良く水が流れる利点がある。
すなわち、不透水性舗装７から導水長溝１ｄ，１ｅに至るまでは水がスムーズに導かれることとなる。
しかし、側溝ブロック１の導水長溝１ｄ，１ｅから排水金具４を通過して導水穴１ｆに水が通過するための区画空間が確保されていないために、導水長溝１ｄ，１ｅから排水金具４へ至る際、水の通りが悪くなる欠点がある。
【００１２】
特に排水金具４を取り付けるため凹部１ｇが形成されており、排水金具自体に水が通過する導水穴１ｆと連通する領域が十分に確保できない。
このように従来の側溝ブロック１では、排水金具４における水はけが必ずしも満足できるものではなかった。
【００１３】
【特許文献１】実用新案登録第３０４７２８５号公報
【発明の開示】
【発明が解決しようとする課題】
【００１４】
本発明は、かかる背景技術をもとになされたもので、上記の背景技術の問題点を克服するためになされたものである。
すなわち、本発明は、排水金具における水はけの優れた側溝ブロックを提供することを目的とする。
【課題を解決するための手段】
【００１５】
かくして、本発明者は、このような課題背景に対して鋭意研究を重ねた結果、排水金具に横長溝を形成し、それを側溝ブロックの導水長溝と連通させることにより、排水金具における水はけが著しく良くなることを見出し、この知見に基づいて本発明を完成させたものである。
【００１６】
すなわち、本発明は、（１）、一対の側面壁と、該側面壁を結合する上面壁とで排水路が形成され、側面壁の上部には排水穴を有する排水金具が取り付けられ、該排水金具の裏側に排水路に通ずる空所が形成される側溝ブロックであって、側面壁には導水長溝が形成され、排水金具には横長溝が形成され、排水金具は、導水長溝と横長溝とが連通するように取り付けられる側溝ブロックに存する。
【００１７】
また、本発明は、（２）、前記横長溝に排水穴が形成されている側溝ブロックに存する。
【００１８】
また、本発明は、（３）、前記横長溝の横断面形状は台形状である側溝ブロックに存する。            
【００１９】
また、本発明は、（４）、前記導水長溝及び横長溝の下端は、上面壁の上面から４〜１０ｃｍの所に位置している側溝ブロックに存する。
【００２０】
また、本発明は、（５）、側面壁の導水長溝と排水金具の横長溝は、それぞれ複数個、形成されている側溝ブロックに存する。
【００２１】
また、本発明は、（６）、前記側面壁には、導水長溝に連通する複数の立上がり溝が間隔をおいて形成されている側溝ブロックに存する。
【００２２】
なお、本発明の目的に添ったものであれば、上記請求項を適宜組み合わせた構成も採  用可能である。
【発明の効果】
【００２３】
本発明の側溝ブロックは、一対の側面壁と、該側面壁を結合する上面壁とで排水路が形成され、側面壁の上部には排水穴を有する排水金具が取り付けられ、該排水金具の裏側に排水路に通ずる空所が形成されている。
そして側面壁には導水長溝が形成され、排水金具には横長溝が形成され、導水長溝と横長溝とが連通するようなっている。
【００２４】
このように導水長溝を横長溝に連通させた場合、地面に降った雨水等が地面に浸透し導水長溝に到達すると、スムーズに導水長溝を伝わって排水金具の横長溝に至り、更に排水穴を通って側溝ブロック内に排水されることになる。
【００２５】
また、側溝ブロックの成形時に型枠に排水金具及びコッターがボルトや螺子等により取り付けられるので排水金具の裏側に空所が形成されるが、本発明では、排水金具に横長溝を形成したのでコッターの溝がそれに嵌まり込み、成形時、コンクリート締固めの際、型枠振動機からの振動により排水金具に対する相対位置がズレてしまうとういう従来の問題点が回避されることとなった。
【００２６】
そのため、型枠から排水金具が浮き上がってしまうのを的確に抑止することができる。
従って、側溝ブロックにおける設計通りの位置に排水金具を取り付けることができ、でき栄えの良い側溝ブロックを提供することができる。
【発明を実施するための最良の形態】
【００２７】
以下、本発明を実施するための最良の形態を図面に基づいて説明する。
図１は、本発明の一実施形態に係る側溝ブロックを示している。
側溝ブロック１６は、例えばコンクリート製であり、上面壁１６ａと一対の側面壁１６ｂ，１６ｃとを有している。
この上面壁１６ａと一対の側面壁１６ｂ，１６ｃとで囲まれた部分は排水路となる。
側溝ブロック１６の側面壁１６ｂには、その長手方向に沿って導水長溝１６ｄが形成され、この導水長溝１６ｄは道路に浸透した水等を排水金具１７に向けて案内、すなわち導水する。
【００２８】
側面壁１６ｂには複数の立上がり溝１６ｅが間隔をおいて形成され、導水長溝１６ｄに連通されている。
このように、側面壁１６ｂに複数の立上がり溝１６ｅが形成されることで、後述するように、より集水能力を高めることができる。
側面壁１６ｂの上部には排水穴を有する排水金具１７が取り付けられており、その排水金具１７の裏側に排水路に通ずる空所が形成されている。
【００２９】
上面壁１６ａには、長方形状の貫通穴１６ａ１が形成され、この貫通穴１６ａ１には、側溝蓋１８が載置される。
側溝蓋１８の排水金具１７と隣接する部分に形成された切欠部１８ａは、側溝蓋１８が側溝ブロック１６に嵌め込まれることにより、大きい流路２３（図６記載）を形成する。
【００３０】
図２は、排水金具１７の詳細を示している。
排水金具１７はＬ字状に折曲されてなり、Ｌ字の短辺側が上面壁１６ａ側に位置し、Ｌ字の長辺側が側面壁１６ｂ側に位置している。
短辺側の短片１７ａと上面壁１６ａとは面一にされ、同様に長辺側の長片１７ｂと側面壁１６ｂとは同様に面一にされている。
【００３１】
短片１７ａと長片１７ｂとには、それぞれ突起１７ａ１と突起１７ｂ１とが突出して設けられており、コンクリート内に埋め込まれることにより、排水金具１７は側溝ブロック１６に確実に固定される。
短片１７ａには、複数個（ここでは５個）の排水穴１７ｃが形成され、主として、この排水穴１７ｃを通して側溝ブロック１６の上面壁１６ａや路面に降った雨水を直接的に側溝ブロック１６内に排水する。
【００３２】
また長片１７ｂにも丸い複数の排水穴１７ｅが形成され、主に路面下に浸透した水を排水する。
長片１７ｂには、導水長溝１６ｄと連通する台形状の横長溝１７ｄが形成されており、この横長溝１７ｄには、上記排水穴１７ｅが複数形成されている。
横長溝１７ｄが存在すると、溝がない場合に比べて、集水面積が大きくなり、排水金具１７の排水能力（水はけ等）を高めることができる。
【００３３】
図３は、側溝ブロック１６を形成するための型枠１９と、排水金具１７と、排水金具１７の裏側に空所２２を形成するためのコッター２０との関係を展開図で示したものである。
型枠１９、排水金具１７、及びコッター２０にはそれぞれ取付ボルト２１を挿入するためのボルト穴１９ａ、バカ穴１７ｆ、及び雌螺子穴２０ａが形成されている。
このうち排水金具１７に形成されたバカ穴１７ｆは、取付ボルト２１より径大となっており、排水金具１７を型枠１９に位置合わせする場合の自由度を確保している。
【００３４】
コッター２０には、前記取付ボルト２１を螺合するための雌螺子穴２０ａと、排水金具１７の横長溝１７ｄが嵌合される台形状の溝２０ｂとが形成されている。
そして、型枠１９の外側からボルト穴１９ａに取付ボルト２１を挿通し、更にこの取付ボルト２１を排水金具１７のバカ穴１７ｆに挿通し、最後にコッター２０の雌螺子穴２０ａに螺合させ締め付けることで、排水金具１７とコッター２０とが型枠１９に的確に取り付けられる。
【００３５】
図４は、型枠１９に対して、排水金具１７とコッター２０とが相互に組み付けられた状態を示す。
このように、台形状の横長溝１７ｄの凹部をコッター２０の台形状の溝２０ｂに嵌合することで、排水金具１７とコッター２０とは密着状態で確実に連結される上、台形状であるために、脱型後、互いに嵌合や取外しが容易に行える。
そして、成形時、コンクリート締固めの際の型枠振動機からの振動により、取付ボルト２１から排水金具１７のバカ穴１７ｆがズレることで排水金具１７とコッター２０との相対的な位置が変わってしまうようなことはない。
【００３６】
そのため排水金具１７とコッター２０との間にコンクリートが入り込み、排水穴１７ｃ，１７ｅを塞いでしまうようなことが防止される。
また、側溝ブロック１６の形状を確実に一定の形状にすることができ、設計通りの側溝ブロック１６を形成することができる。
【００３７】
なお、型枠１９内の固化前のコンクリートへの加振は、型枠１９内におけるコンクリートを確実に充填させる意味で行われるが、具体的には型枠振動機を型枠１９の外側面に取り付けたり、人手を使って型枠振動機を操作し型枠１９に振動を与えることにより行われる。
さてコンクリートが固化した後は、型枠１９から取付ボルト２１を取り外し、側溝ブロック１６を型枠１９から離型する。
【００３８】
次いで、排水金具１７に嵌合しているコッター２０を取り外すと、その部分には空所２２（図６参照）が形成される。
空所２２が存在することにより、排水金具１７の中に砂利等が入って来ても、その裏側が詰まるようなことが回避される。
【００３９】
次に、図５ないし図７を用いて、側溝ブロック１６内の排水路に雨水等が集水される場合の流れについて説明する。
なお、図６は図５のＡ−Ａ線に沿う断面図であり、図７は図５のＢ−Ｂ線に沿う断面図である。
雨９が道路１０に降ると、雨水が透水性舗装１１内を浸透し、更に路盤１２上に形成された不透水性舗装１３の上面に溜まる。
溜まった雨水はこの上面に沿って矢印の如く排水金具側に誘導される。
排水金具１７の導水長溝１６ｄの下端は不透水性舗装１３の上面と同じ高さに位置するので、不透水性舗装１３上を移動してきた雨水は導水長溝１６ｄに集水される。
【００４０】
導水長溝１６ｄに到達した雨水は、導水長溝１６ｄの長手方向に沿って誘導され、連通している排水金具１７の横長溝１７ｄに至る。
そして、雨水は、横長溝１７ｄに形成された排水穴１７ｅを通って排水金具１７の裏側に形成された空所２２に流入する。
更に雨水は、上面壁１６ａと側面壁１６ｂとにより形成された流路２３を通って排水路２４に排出される。
【００４１】
ここで、導水長溝１６ｄ及び横長溝１７ｄの下端は、上面壁１６ａの上面から４〜１０ｃｍの位置に形成されことが好ましい。
この４〜１０ｃｍの範囲は、透水性舗装１１が施される通常の位置範囲であり、不透水性舗装１３の上面は導水長溝１６ｄが形成された位置に対応することが好ましい。
逆にいうと導水長溝１６ｄ及び横長溝１７ｄは、透水性舗装１１の埋戻し位置としての目印にもなるといえる。
【００４２】
また、透水性舗装１１は、導水長溝１６ｄ及び横長溝１７ｄに噛み込むので、側溝ブロック１６周辺の路面の沈下を防ぐことができる。
以上は、導水長溝１６ｄの下端が不透水性舗装１３の上面と同じ高さに位置した場合で説明したが、施工において誤差か生じて不透水性舗装１３の上面が、多少、上に位置するようになった場合もあり得る。
この場合は、不透水性舗装１３の上面に溜まった雨水が、立上がり溝１６ｅを通じて導水長溝１６ｄに導かれることとなる。
図７は、この立上がり溝１６ｅを通して導水長溝１６ｄに流れ落ちる状態を示している。
【００４３】
（変形例）
図８は、本発明の一実施形態に係る側溝ブロックの変形例を示している。
なお、この変形例の側溝ブロック１６Ａの立上がり溝１６ｆは、先述の側溝ブロック１６の立上がり溝１６ｅよりも長く形成され、上面壁１６ａに開口する点で異なる。
開口した部分からも下方に雨水が排水されることとなる。
【００４４】
以上、本発明を説明してきたが、本発明は上述した実施形態にのみ限定されるものではなく、その本質を逸脱しない範囲で、他の種々の変形が可能であることはいうまでもない。
上述した一実施形態では、側溝ブロック１６に一本の導水長溝１６ｄを形成した例について説明したが、複数個形成しても良く、その場合は、排水金具１７の横長溝１７ｄもそれに合わせた個数とすることが好ましい。
【００４５】
また、実施の形態で示した立上がり溝１６ｅは、形成しない場合あり得る。
更に、上述した一実施形態では、型枠１９に対して排水金具１７やコッター２０を取付ボルト２１を使用して取り付けた例について説明したが、コッター２０の溝２０ｂと排水金具１７の横長溝１７ｄとが嵌合して取り付けられる限り、例えば取付ピンも使える。
またコッター２０や型枠１９を金属製とし、排水金具１７に磁着するようにしても良い。
【図面の簡単な説明】
【００４６】
【図１】図１は、本発明の一実施形態に係る側溝ブロックを示す説明図である。
【図２】図２は、排水金具の詳細を示す説明図である。
【図３】図３は、側溝ブロックを形成するための型枠と、排水金具と、コッターとの関係を示す展開図である。
【図４】図４は、型枠に対して、排水金具、コッターとが組み付けられた状態を示す説明図である。
【図５】図５は、雨水が導水長溝を流れている状態を示す説明図である。
【図６】図６は、図５のＡ−Ａ線に沿う断面図であり、排水金具の裏側に雨水が流入している状態を示す説明図である。
【図７】図７は、図５のＢ−Ｂ線に沿う断面図であり、水がこの立上がり溝を通して導水長溝に流れ落ちる状態を示す説明図である。
【図８】図８は、本発明の一実施形態に係る側溝ブロックの変形例を示す説明図である。
【図９】図９は、従来の側溝ブロックの一例を示す説明図である。
【図１０】図１０は、排水金具を側溝ブロックに取り付ける際の説明図である。
【図１１】図１１は、側溝ブロックの道路への具体的な施工例を示す。
【図１２】図１２は、側溝ブロックの道路への具体的な別の施工例を示す。
【図１３】図１３は、側溝ブロックの道路への具体的な更に別の施工例を示す。
【符号の説明】
【００４７】
１  側溝ブロック
１ａ  上面
１ｂ  一側面
１ｃ  他側面
１ｄ，１ｅ  導水長溝
１ｆ  導水穴
１ｇ  凹部
２  連結金具
３  排水路
４  排水金具
４ａ  板片
４ｂ  長穴
５，５Ａ，５Ｂ  道路
６  路盤
７  不透水性舗装
７ａ  段部
８  透水性舗装
９  雨
１０  道路
１１  透水性舗装
１２  路盤
１３  不透水性舗装
１４  導水間隙部
１６，１６Ａ  側溝ブロック
１６ａ  上面壁
１６ａ１  貫通穴
１６ｂ，１６ｃ  側面壁
１６ｄ  導水長溝
１６ｅ，１６ｆ  立上がり溝
１７  排水金具
１７ａ  短片
１７ｂ  長片
１７ａ１，１７ｂ１  突起
１７ｃ  排水穴
１７ｄ  横長溝
１７ｅ  排水穴
１７ｆ  バカ穴
１８  側溝蓋
１８ａ  切欠部
１９  型枠
１９ａ  ボルト穴
２０  コッター
２０ａ  雌螺子穴
２０ｂ  溝
２１  取付ボルト
２２  空所
２３  流路
２４  排水路
【図１】
2005188152.tif 000003
【図２】
2005188152.tif 000004
【図３】
2005188152.tif 000005
【図４】
2005188152.tif 000006
【図５】
2005188152.tif 000007
【図６】
2005188152.tif 000008
【図７】
2005188152.tif 000009
【図８】
2005188152.tif 000010
【図９】
2005188152.tif 000011
【図１０】
2005188152.tif 000012
【図１１】
2005188152.tif 000013
【図１２】
2005188152.tif 000014
【図１３】
2005188152.tif 000015